(57)【要約】【課題】簡素な構成で多彩な色彩表示と立体的な発光表示とを同時に行う。【解決手段】イルミネーション装置２は、透明なガラス板３と、このガラス板３の表面に、光を乱反射させる傾斜面８を有する傾斜溝７Ａを彫り込んだ装飾部７と、このガラス板３の周囲に配置され、この傾斜溝７Ａの傾斜面８に所望の色彩の光を投光する投光部１０とを備えて構成される。投光部１０は、各種の色（赤：Ｒ、緑：Ｇ、黄：Ｙ）を投光する発光ダイオード１１を交互に一列に並べ、発光方向をガラス板３の側面に直角に向けて配置される。【選択図】  図３
2006047883.tif 000002
【特許請求の範囲】
【請求項１】
透明な透光体と、この透光体の表面に、光を乱反射させる傾斜面を有する傾斜溝を彫り込んだ装飾部と、この透光体の周囲に配置され、この傾斜溝の傾斜面に所望の色彩の光を投光する投光部とを備えたことを特徴とするイルミネーション装置。
【請求項２】
透光体を透明ガラスで、投光部を発光ダイオードでそれぞれ構成したことを特徴とする請求項１に記載のイルミネーション装置。
【発明の詳細な説明】
【技術分野】
【０００１】
本発明は、イルミネーション装置に関し、特に、彫り込まれた装飾面を有する透明ガラスを用いたイルミネーション装置に関するものである。
【背景技術】
【０００２】
従来、イルミネーション装置として、透明なアクリル樹脂板の底側に彫り込みエッジを形成し、このアクリル樹脂板の傾斜した底面を曇りガラスのようにざらついたシボ処理を行い、アクリル樹脂板の上方から蛍光灯の光を当て、エッジライト効果により、彫り込みエッジ部分をシボ処理された底面より明るく光らせて立体表示する遊技機が知られている。（特許文献１参照）。
【特許文献１】特開平９−２０６４２４号公報（第２頁、図１）
【発明の開示】
【発明が解決しようとする課題】
【０００３】
しかしながら、上記従来のイルミネーション装置では、彫り込み部とシボ処理された反射部とを設けなければならず、立体的な発光表示を得るのにコストがかかるという問題があった。また、多彩な色彩を出すには蛍光色素を利用するため、制約があるという問題がある。
【０００４】
本発明は、上記課題を解決するためになされたもので、簡素な構成でしかも多彩な色彩表示と立体的な発光表示とを同時に行うことができるイルミネーション装置を提供することを目的とするものである。
【課題を解決するための手段】
【０００５】
本発明に係るイルミネーション装置は、透明な透光体と、この透光体の表面に、光を乱反射させる傾斜面を有する傾斜溝を彫り込んだ装飾部と、この透光体の周囲に配置され、この傾斜溝の傾斜面に所望の色彩の光を投光する投光部とを備えたものである。
【０００６】
本発明に係るイルミネーション装置では、透明な透光体と、この透光体の表面に、光を乱反射させる傾斜面を有する傾斜溝を彫り込んだ装飾部と、この透光体の周囲に配置され、この傾斜溝の傾斜面に所望の色彩の光を投光する投光部とを備えたので、灯光部から所望の色彩の光を投光すると、光は透光体内部を通過して傾斜溝の傾斜面に当たって乱反射する。
【発明の効果】
【０００７】
本発明に係るイルミネーション装置は、透明な透光体と、この透光体の表面に、光を乱反射させる傾斜面を有する傾斜溝を彫り込んだ装飾部と、この透光体の周囲に配置され、この傾斜溝の傾斜面に所望の色彩の光を投光する投光部とを備えたことにより、立体的でかつ多彩な色彩で装飾面を演出することができる。
【発明を実施するための最良の形態】
【０００８】
簡素な構成でしかも多様な色彩に富んだ装飾を得るという目的を、透光体に形成された傾斜溝に投光部から所望の色彩の光を投光する構成とすることにより実現した。
【実施例１】
【０００９】
以下、図面に示す実施の形態により本発明を説明する。図１および図２はそれぞれ本発明の一実施例に係るイルミネーション装置の正面図および背面図である。本実施の形態に係るイルミネーション装置２は、図１に示すように、透明なガラス板（透光体）３とこのガラス板３を保持する枠体としての額縁４とを備えている。額縁４にガラス板３が入れられると、図２に示すように、光を遮断する裏蓋５で蓋をし、蓋止め６で裏蓋５を保持するようになっている。
【００１０】
ガラス板３の表面には、装飾部７が形成される。装飾部７は、模様、絵、文字、記号、広告等のデザインを彫り込んだ彫り込み溝（傾斜溝）７Ａ（図５参照）により形成される。この彫り込み溝７ＡはほぼＶ字状に彫り込まれ、彫り込まれた傾斜面８はざらついた曇りガラスのように細かい凹凸面となっており、乱反射するようになっている。
【００１１】
額縁４には、図３に示すように、裏蓋５を取り外すと、左右両側に投光部１０が設けられる。この投光部１０は、各種の色（赤：Ｒ、緑：Ｇ、黄：Ｙ）を投光する発光ダイオード１１を交互に一列に並べ、発光方向をガラス板３の側面に直角に向けて配置される（図４参照）。これら発光ダイオード１１は、各種の色に応じた回路のリード線１２を介して裏蓋５に取り付けられたバッテリ１３とスイッチ１４とに電気的に接続される。スイッチ１４は発光ダイオード１１の発光色の種類毎Ｒ、Ｇ、Ｙに自在にオン・オフを行うようになっている。発光ダイオード１１は、例えば、赤が発光色の発光ダイオード１１がスイッチ１４によりオンされると、赤の入射光はガラス板３の内部を直進し、彫り込み溝７Ａの傾斜面８に当たって乱反射し、装飾部７を赤く染めるようになっている。色彩は各種の発光ダイオードの組み合わせにより多様な色彩を出すことができるようになっている。
【００１２】
次に、上記実施例に係るイルミネーション装置の作用について説明する。この実施例に係るイルミネーション装置２は、スイッチ１４により、所望の種類の色彩の発光ダイオード１１をオンさせると、装飾部７はその色彩に染まる。また、複数の種類の発光ダイオード１１をオンすると、組み合わせに応じて多様な色彩を出すことができる。投光部１０の光源に発光ダイオード１１を使用しているので、消費電力が少なく、小型のバッテリーで長時間使用することができる。
【００１３】
なお、上記実施例では、投光部１０は額縁４に固定してもよいし、取り外し自在としてもよい。また、投光部１０は額縁４の左右側だけでなく、上下に設けてもよい。投光部１０の光源に発光ダイオード１１を使用しているがこれに限られるものではなく、有機性発光体でもよいし、ネオンライトや豆電球のような光源を使用してもよい。また、上記実施例では、ガラス板３と発光ダイオード１１を別体に構成しているがこれに限られるものではなく、一体に設けてもよいことはいうまでもない。さらに、上記実施例では、透光体として透明なガラス板３を用いているがこれに限られるものではなく、透明なアクリル樹脂、鏡等であってもよい。本実施例でガラス板３を用いたのは、彫り込みにシャープさが得られ像が明確になるためであるが、用途に応じて透明な合成樹脂であってもよいことはいうまでもない。さらに上記実施例では、スイッチ１４を手動としているがこれに限られるものではなく、自動的に回路が切り替わる自動スイッチとしてもよい。また、上記実施例では、ガラス板３を平面ガラスとしているがこれに限られるものではなく、曲面ガラスであってもよい。さらに、上記実施例では、発光ダイオードは、３色を挙げているがこれに限られるものではなく、さらに多種の色を用いてもよい。また、上記実施例では額縁に適用した例を示したが、これに限られるものではなく、仏壇の背景、ショーウインドウ、電飾看板、ビルの壁面ガラス、お店のディスプレー、展覧会のディスプレー、ランプ、電気スタンド、道標、標札、地番標札、非常口の案内、各種の天然石や人造石および陶製品、器、船名等に用いるとができる。特に、暗い場所や濃霧などの悪天候時に有効である。
【図面の簡単な説明】
【００１４】
【図１】本発明の一実施例に係るイルミネーション装置を示す正面図である。（実施例１）
【図２】図１のイルミネーション装置の背面図である。
【図３】（Ａ）、（Ｂ）はそれぞれ図１のイルミネーション装置の要部を示す説明図である。
【図４】ガラス板と発光ダイオードの配置を示す説明図である。
【図５】ガラス板の彫り込み溝を示す断面図である。
【符号の説明】
【００１５】
２  イルミネーション装置
３  ガラス板（透光体）
７Ａ  彫り込み溝（傾斜溝）
８  傾斜面
１０  投光部
【図１】
2006047883.tif 000003
【図２】
2006047883.tif 000004
【図３】
2006047883.tif 000005
【図４】
2006047883.tif 000006
【図５】
2006047883.tif 000007
【手続補正書】
【提出日】平成16年8月17日(2004.8.17)
【手続補正１】
【補正対象書類名】図面
【補正対象項目名】全図
【補正方法】変更
【補正の内容】
【図１】
2006047883.tif 000008
【図２】
2006047883.tif 000009
【図３】
2006047883.tif 000010
【図４】
2006047883.tif 000011
【図５】
2006047883.tif 000012